(57)【要約】【課題】夏季に、小屋裏の熱気を効果的に外に排出することができると共に、室内の熱気も効果的に排出することができ、しかも、それを簡素なシステム構成で実現することができる小屋裏排熱システムを提供する。【解決手段】室内空気吸込み口７を通じて吸い込まれた室内空気が、ダンパー１２が閉じることで、常時換気用吹出し口８、ダクト１０、排気口１１を通じて屋外に排出され、ダンパーが開くことで、小屋裏吹出し口９からダクトレスで小屋裏２に吹き出し、小屋裏に備えられている換気口３，３を通じて小屋裏の空気が屋外に排出されるようになされている。【選択図】      図１
2006283367.tif 000002
【特許請求の範囲】
【請求項１】
ファンと、室内空気吸込み口と、常時換気用の吹出し口、小屋裏に開口する小屋裏吹出し口と、該小屋裏吹出し口を開閉するダンパーとを備えた換気装置が小屋裏に設置され、
該換気装置の常時換気用の吹出し口はダクトによって建物の排気口に接続され、
前記ダンパーが閉じることで、室内空気吸込み口を通じて吸い込まれた室内空気が、常時換気用吹出し口、ダクト、排気口を通じて屋外に排出され、
ダンパーが開くことで、室内空気吸込み口を通じて吸い込まれた室内空気が、小屋裏吹出し口からダクトレスで小屋裏に吹き出し、小屋裏に備えられている換気口を通じて小屋裏の空気が屋外に排出されるようになされていることを特徴とする常時換気併用の小屋裏排熱システム。
【請求項２】
前記ファンが、ダンパー閉時の低回転数運転モードと、ダンパー開時の高回転数運転モードとの切換えを行えるものからなっている請求項１に記載の常時換気併用の小屋裏排熱システム。
【請求項３】
小屋裏が陸屋根の小屋裏であり、前記換気装置の小屋裏吹出し口が上向きに開口している請求項１又は２に記載の常時換気併用の小屋裏排熱システム。
【発明の詳細な説明】
【技術分野】
【０００１】
本発明は、小屋裏排熱システムに関する。
【背景技術】
【０００２】
従来より、図４（イ）に示すように、陸屋根５１では、外壁側に小屋裏５２と連通する複数の換気口５３，５３が設けられ、これら換気口５３，５３を通じた自然換気により小屋裏５２が換気されるようになされたものが提供されており、また、図４（ロ）に示すように、勾配屋根５４では、軒部に給気口５５が設けられると共に、棟部に排気口５６が設けられ、温度差上昇を利用した自然換気で小屋裏５７が換気されるようになされたものが提供されている。
【発明の開示】
【発明が解決しようとする課題】
【０００３】
しかしながら、いずれの換気も自然任せであり、大きな風量を期待できないため、夏季には、小屋裏５２，５７がかなりの高温になってしまう。特に、陸屋根５１の場合は、換気の駆動力として、高さによる温度差換気を小屋裏５７において期待できないため、小屋裏換気量が小さく、熱気がこもりやい。一方、常時換気は、風量が小さいため、夏季に室内に熱気をこもらせやすいという問題がある。
【０００４】
本発明は、上記のような問題点に鑑み、夏季に、小屋裏の熱気を効果的に外に排出することができると共に、室内の熱気も効果的に排出することができ、しかも、それを簡素なシステム構成で実現することができる小屋裏排熱システムを提供することを課題とする。
【課題を解決するための手段】
【０００５】
上記の課題は、ファンと、室内空気吸込み口と、常時換気用の吹出し口、小屋裏に開口する小屋裏吹出し口と、該小屋裏吹出し口を開閉するダンパーとを備えた換気装置が小屋裏に設置され、
該換気装置の常時換気用の吹出し口はダクトによって建物の排気口に接続され、
前記ダンパーが閉じることで、室内空気吸込み口を通じて吸い込まれた室内空気が、常時換気用吹出し口、ダクト、排気口を通じて屋外に排出され、
ダンパーが開くことで、室内空気吸込み口を通じて吸い込まれた室内空気が、小屋裏吹出し口からダクトレスで小屋裏に吹き出し、小屋裏に備えられている換気口を通じて小屋裏の空気が屋外に排出されるようになされていることを特徴とする常時換気併用の小屋裏排熱システムによって解決される。
【０００６】
このシステムでは、常時換気用吹出し口がダクトで排気口に接続されて常時換気を行う換気装置に対して、ダンパーで開閉されダクトレスで小屋裏に開口する小屋裏吹出し口を備えさせたものであるから、小屋裏吹出し口がダクトレスで小屋裏に開口することにより、室内から吸い込まれる空気を大風量で小屋裏に送り込むことが容易になり、夏季に、ダンパーを開にすることによって、室内の熱気を小屋裏に効果的に排出することができると共に、小屋裏の熱気を換気口を通じて効果的に外に排出することができる。
【０００７】
しかも、一つの換気装置に、常時換気機能と小屋裏排熱機能を併せもたせて、ファンや室内空気吸込み口を共有する構成にしているから、それを簡素なシステム構成で実現することができる。
【０００８】
上記の小屋裏排熱システムにおいて、前記ファンが、ダンパー閉時の低回転数運転モードと、ダンパー開時の高回転数運転モードとの切換えを行えるものからなっている場合は、小屋裏吹出し口がダクトレスで直接小屋裏に開口していることとの組み合わせで、夏季に、ダンパーを開にしてファンを高回転数運転モードにすることにより、室内から吸い込まれる空気をより大きな風量で小屋裏に送り込むことができ、小屋裏の熱気をより一層効果的に外に排出することができると共に、室内の熱気も室外により一層効果的に排出することができる。
【０００９】
また、上記の小屋裏排熱システムにおいて、小屋裏が陸屋根の小屋裏であり、前記換気装置の小屋裏吹出し口が上向きに開口している場合は、小屋裏吹出し口を通じて小屋裏に吹き出す空気が陸屋根の屋根下地の下面に当たって全方向に気流を分散することができて、小屋裏の排熱を効率良く行うことができる。
【発明の効果】
【００１０】
本発明の小屋裏排熱システムは、以上のとおりのものであるから、夏季に、小屋裏の熱気を効果的に外に排出することができると共に、室内の熱気も効果的に排出することができ、しかも、それを常時換気を併用することで簡素なシステム構成により実現することができる。
【発明を実施するための最良の形態】
【００１１】
次に、本発明の実施最良形態を図面に基づいて説明する。
【００１２】
図１〜図３に示す小屋裏排熱システムは、陸屋根１の小屋裏２に適用した場合のもので、図１に示すように、小屋裏２には、外壁側に面して小屋裏換気用の自然換気による複数の換気口３が設けられると共に、換気装置４が設置されている。
【００１３】
該換気装置４は、図１（ロ）に示すように、ファン５を内部に収容したケース６に、室内空気吸込み口７と、常時換気用吹出し口８、小屋裏２に開口する小屋裏吹出し口９とが設けられており、常時換気用吹出し口８はダクト１０によって建物の排気口１１に接続され、また、小屋裏吹出し口９は、ダンパー１２で開閉されて、ダンパー１２を開くと、ダクトレスで小屋裏２に上を向いて開口するようになされており、また、ファン５は、ダンパー１２が閉である時の低回転数運転モードと、ダンパー１２が開である時の高回転数運転モードとの切換えを行えるものからなっている。更に、室内空気吸込み口７は、ケース６の下面側に設けられ、ダクトレスで室内１３に開口している。
【００１４】
そして、冬季や中間期には、図３（イ）に示すように、換気装置４のダンパー１２を閉じ、ファン５を低回転数運転モードにすると、室内１３が低風量で常時換気され、小屋裏２は換気口３，３による自然換気によって換気され、夏季には、図３（ロ）に示すように、換気装置４のダンパー１２を開いて小屋裏吹出し口９を小屋裏２に開き、ファン５を高回転数運転モードにすると、室内１３から吸い込まれる空気が大きな風量となって小屋裏２に送り込まれ、室内１３の熱気が小屋裏２に効果的に排出され、小屋裏２の熱気も換気口３，３を通じて効果的に排出されるようになされている。
【００１５】
上記の小屋裏排熱システムは、オンオフのスイッチ操作で、ダンパー１２の切換えと、ファン５の運転モードの切換えとが行われるようになされていてもよいが、本実施形態では、切換えが自動で行われるようになされている。即ち、小屋裏２に温度センサー１４が設置され、制御部１５において、図２（イ）に示すように、センサー１４によって小屋裏温度が読み込まれる（ステップＳ１）と、その温度が所定の設定値、例えば３０°Ｃに達したか否かが判断され（ステップＳ２）、達していれば、ダンパー１２を開き、ファン５を高回転数運転モードにする制御を図示しないダンパー駆動部とファン駆動部に対して行い（ステップＳ３）、達していなければ、ダンパー１２を閉じ、ファン５を低回転数運転モードにする制御をダンパー駆動部とファン駆動部に対して行う（ステップＳ４）動作がなされる。
【００１６】
なお、温度センサー１４は、建物内部の空調の行われない例えば廊下に設置したり、あるいは、給気ダクト内に設置したり、屋外に設置し、それぞれの場合について設定した設定温度に基づいて、上記の同様の制御が行われるようになされていてもよい。
【００１７】
このように、上記の小屋裏排熱システムによれば、常時換気用吹出し口８がダクト１０で排気口１１に接続されて常時換気を行う換気装置４に対して、ダンパー１２で開閉されダクトレスで小屋裏２に開口する小屋裏吹出し口９を備えさせたものであるから、小屋裏吹出し口９がダクトレスで小屋裏２に開口することにより、室内１３から吸い込まれる空気を大風量で小屋裏２に送り込むことが容易になり、本実施形態では、ファン５が、ダンパー閉時の低回転数運転モードと、ダンパー開時の高回転数運転モードとの切換えを行えるものからなっていることも加わって、夏季に、ダンパー１２を開にし、ファン５を高回転数運転モードにすることによって、室内１３の熱気を小屋裏２に効果的に排出することができると共に、小屋裏２の熱気を換気口３を通じて効果的に外に排出することができる。
【００１８】
しかも、一つの換気装置４に、上記のように常時換気機能と小屋裏排熱機能を併せもたせ、ファン５や室内空気吸込み口７を共有する構成にしているから、それを簡素なシステム構成で実現することができる。
【００１９】
そして、本実施形態では、この小屋裏排熱システムを陸屋根の小屋裏に適用し、換気装置４の小屋裏吹出し口９が上向きに開口するようにしているので、小屋裏吹出し口９を通じて小屋裏２に吹き出す空気を陸屋根１の屋根下地の下面に当てて、全方向に気流を分散することができ、陸屋根１の小屋裏２の排熱を効率良く行うことができる。
【００２０】
図２（ロ）は、換気装置の変形例を示すもので、小屋裏吹出し口９が小屋裏２において真上に開口するようにケース６の形態を設計したもので、ダンパー１２は小屋裏吹出し口９の内方に隠れるようにして備えられている。この構造によれば、小屋裏吹出し口９から吹き出す空気をより一層均等に分散することができ、小屋裏２の排熱効率をより一層高いものにすることができ。
【００２１】
以上に、本発明の実施形態を示したが、本発明はこれに限られるものではなく、発明思想を逸脱しない範囲で各種の変更が可能である。例えば、上記の実施形態では小屋裏排熱システムを陸屋根の小屋裏に適用した場合を示したが、勾配屋根などのその他の屋根の小屋裏に対しても適用することができる。
【００２２】
また、上記の実施形態では、換気装置４に備えられるファン５が低回転数運転モードと高回転数運転モードとの切換えを行えるものからなっているが、小屋裏吹出し口９をダクトレスで小屋裏２に開口させるようにした作用によりダンパー１２を開くだけで、充分の風量の吹出しを小屋裏に対して行うことができるような場合は、回転数固定のファンが用いられてもよい。
【図面の簡単な説明】
【００２３】
【図１】図（イ）は実施形態の小屋裏排熱システムを示す正面図、図（ロ）は換気装置部分の要部拡大正面図である。
【図２】図（イ）は制御のフローチャート図、図（ロ）は換気装置の例を示す正面図である。
【図３】図（イ）は冬季、中間期におけるシステムの作動状態を示す正面図、図（ロ）は夏季におけるシステムの作動状態を示す正面図である。
【図４】図（イ）及び図（ロ）はそれぞれ、従来の小屋裏換気システムを示す正面図である。
【符号の説明】
【００２４】
１…陸屋根
２…小屋裏
３…換気口
４…換気装置
５…ファン
７…室内空気吸込み口
８…常時換気用吹出し口
９…小屋裏吹出し口
１０…ダクト
１１…排気口
１２…ダンパー
１３…室内
【図１】
2006283367.tif 000003
【図２】
2006283367.tif 000004
【図３】
2006283367.tif 000005
【図４】
2006283367.tif 000006